(57)【要約】【課題】高周波加熱装置において、三相電源を入力電源とした場合に、起動から定常への遷移時にモーディング発振の状態で安定することがあり、マグネトロンが寿命劣化すること。【解決手段】マグネトロン１１のカソードを加熱するフィラメント電源１３と、三相整流装置１６の出力により駆動されるアノードに電力を付勢するインバータ回路２とを制御する制御回路１９を備え、フィラメントが、安定状態になった後に、インバータ回路２に通電する事ることにより、マグネトロンはフィラメントが充分加熱された状態でのみ発振制御されることになるので、初期モーディングが発生し安定してしまう現象を大幅に抑えることが出来るようになる。【選択図】　図１
2004095500.tif 000002
【特許請求の範囲】
【請求項１】
本体内に食品の高周波加熱にかかるマグネトロンと、前記マグネトロンのカソードを加熱するフィラメント電源と、三相交流電源より受電し整流する三相整流装置と前記三相整流装置の出力により駆動され前記マグネトロンアノードに電力を付勢するインバータ回路と、前記インバータ回路に備えられた半導体スイッチング素子及び、前記フィラメント電源のそれぞれを制御する制御回路とからなり、前記フィラメント電源がマグネトロンのカソードを加熱するフィラメントに通電開始後、予め設定した時間以降にインバータ回路の半導体スイッチング素子に通電が開始される構成とした高周波加熱装置。
【請求項２】
本体内に食品の高周波加熱にかかるマグネトロンと、前記マグネトロンのカソードを加熱するフィラメント電源と、三相交流電源より受電し整流する三相整流装置と前記三相整流装置の出力により駆動され前記マグネトロンアノードに電力を付勢するインバータ回路と、前記インバータ回路に備えられた半導体スイッチング素子及び、前記フィラメント電源のそれぞれを制御する制御回路とからなり、制御回路は前記マグネトロンのモーディング発振を検出するモーディング発振検知部を備え、前記モーディング発振検知部がモーディング発振を検出すると前記インバータ回路を一旦停止させ、その後再起動させる構成とした高周波加熱装置。
【請求項３】
前記モーディング発振検知部は、流れる電流値に応じて発光度合いが変化する発光素子と電気的に絶縁された受光素子からなるフォトカプラーを設け、マグネトロン流れる電流波形に応じた出力波形が受光素子より制御回路に出力される構成とした請求項２記載の高周波加熱装置。
【発明の詳細な説明】
【０００１】
【発明の属する技術分野】
本発明は、マグネトロンの駆動に係る電源装置を制御しながら、発生する高周波加熱エネルギーによって食品を加熱する高周波加熱装置に関するものである。
【０００２】
【従来の技術】
従来の高周波加熱装置について図面を用いて説明する。図５は回路構成を示した図である。この図において１は商用単相交流電源、２はインバータ回路、３は整流回路、４、５は半導体スイッチング素子、６は制御回路、７は第１の共振コンデンサ、８は第２の共振コンデンサ、９は昇圧トランス、１０は高圧整流回路、１１はマグネトロンである。従来の家庭用の高周波加熱装置は、商用単相交流電源１を一旦整流回路３で直流電圧に変換し、この直流電圧を半導体スイッチング素子４、５のオンオフを制御回路６で制御することによってインバータ回路２で２０ｋＨｚ以上の高周波電圧に変換している。
【０００３】
さらにインバータ回路２は、この高周波電圧を昇圧トランス９によって高周波高電圧に昇圧し、高圧整流回路１０を介して直流高電圧をマグネトロン１１に印加している。また、昇圧トランス９は第３の巻線を有しており、この第３の巻線によってマグネトロン１１のカソードを加熱するフィラメント電力を供給している。この電力によってカソードから熱電子を放出している。この熱電子とマグネトロン１１に備えられた永久磁石と高圧整流回路１０から得られる直流高電圧によってマグネトロン１１は真空管発振を行い、２．４５ＧＨｚの電波を加熱室に放射することによって被加熱物を高周波電界で加熱している。
【０００４】
このような、家庭用の高周波加熱装置は１０００Ｗ以上の変換電力を扱うため、インバータ回路２の高効率化が重要な技術である。そのために、インバータ回路２は第１の共振コンデンサ７と昇圧トランス９の１次巻線によって共振回路を構成し、この共振回路の共振現象を利用して半導体スイッチング素子４、５がターンオフあるいはターンオンする際の電圧の傾きを緩やかにしている。この結果、半導体スイッチング素子４、５のスイッチング損失が低減され、インバータ回路２を高効率化する構成となっている。
【０００５】
【発明が解決しようとする課題】
家庭用電子レンジは１００Ｖの単相電源より１０００Ｗから１５００Ｗ程度の電力供給を受けてマイクロ波で食品を加熱する調理器であるが、一方、レストランやコンビニ、ファーストフードといった外食産業の中で、使用される電子レンジも存在する。いわゆる業務用電子レンジと称され、短時間に大量の食品を加熱、調理するもので、必然的に扱う電力が大きくなり、単相電源では不十分となる場合も多い。これを解決する為には、より多くの電力を扱える三相電源より電力の供給を受け、この電力をマイクロ波に変換する構成とすることが必要であるが、次に挙げるような課題がある。
【０００６】
マグネトロン１１は前述のようにカソードを加熱して、その熱電子の放出によって電波を発生させている。したがってカソードを予熱する時間が必要となる。また、予熱するための電力はインバータ回路２に備えられた昇圧トランス９から供給されるので、予熱する電力と同時に高圧整流回路１０へも電圧が供給される。このためマグネトロン１１が発振するまでの期間も高電圧が印加されることになる。そしてこれらの高周波加熱装置においては、カソードの供給電力を多くし起動時間を短縮するためにマグネトロン１１に印加される電圧は通常の発振に必要な電圧（約−４ｋＶ）よりも高い負電圧が印加されるのが一般的である。このように高い負電圧を印加して起動すると、起動状態から定常の発振状態に遷移するまでの間にモーディング発振の状態を経て定常発振へ状態が遷移する。
【０００７】
三相電源で電子レンジを使用するためには三相を整流する必要が有るが、この整流出力は、単相の場合と異なり、交流の一周期毎に電位が０になることは無く、常に一方向に電位が存在する直流に近いものとなる。このことは、通常状態では、電圧変動が少ない分、安定してマグネトロン１１が発振し、単相の場合に比べ大幅に発振効率を上げることが出来るという利点がある一方で、この様な直流或いは、直流に近い電圧源でインバータ回路２を駆動すると、起動状態から定常発振へ遷移するときに、前述のようにモーディング発振の状態を経るまでに正常な発振まで遷移せずにモーディング発振の状態が継続してしまうことがある事が知られている。モーディング発振の状態は異常な発振状態であり、マグネトロン１１の寿命を著しく縮めてしまう。大電力下ではその影響は大きく、従来より三相電源を用いたインバータ回路でマグネトロンを駆動する高周波加熱装置の大きな課題であった。
【０００８】
【課題を解決するための手段】
本発明は、前記の課題を解決するもので、マグネトロンが定常発振に至る迄のモーディングの発生が、その間の、カソードの電子放出量に依存しているという観点から、マグネトロンのカソードを加熱するフィラメント電源と、三相整流装置の出力により駆動されるマグネトロンアノードに電力を付勢するインバータ回路のそれぞれを個別に制御し、カソードからの電子放出が充分な状態でのみ高周波の発振が行なわれ、又モーディングが発生した場合は、一旦アノードへの電力の付勢を停止し再起動させることでモーディング発振が起きないようにしたものであり、このことで三相交流電源を使用した大電力，高効率の高周波加熱装置を実現出来る。
【０００９】
【発明の実施の形態】
請求項１に記載の発明は、高周波加熱にかかるマグネトロンと、前記マグネトロンのカソードを加熱するフィラメント電源と、三相交流電源より受電し整流する三相整流装置と前記三相整流装置の出力により駆動され前記マグネトロンアノードに電力を付勢するインバータ回路と、前記インバータ電源に備えられた半導体スイッチング素子及び、前記フィラメント電源のそれぞれを制御する制御回路とを設け、前記フィラメント電源がマグネトロンのカソードを加熱するフィラメントに通電開始後、予め設定した時間以降にインバータ電源の半導体スイッチング素子に通電が開始される構成としたものである。
【００１０】
そして、マグネトロンのカソードからの電子放出が充分な状態になった後に高周波の発振が行なわれ、モーディング発振そのものを無くし、モーディング継続を無くすことができるようにし、確実に安定発振を行うことでマグネトロンの寿命劣化を防止することができる。
【００１１】
請求項２に記載の発明は、高周波加熱にかかるマグネトロンと、前記マグネトロンのカソードを加熱するフィラメント電源と、三相交流電源より受電し整流する三相整流装置と前記三相整流装置の出力により駆動され前記マグネトロンアノードに電力を付勢するインバータ回路と、前記インバータ電源に備えられた半導体スイッチング素子及び、前記フィラメント電源のそれぞれを制御する制御回路とを設け、前記、制御回路がマグネトロンのモーディング発振を検出するモーディング発振検知部を備え、モーディング発振検知部がモーディング発振を検出すると前記インバータ電源を一旦停止させ、その後再起動させる構成としたものである。
【００１２】
そして、一旦起きたモーディング発振を停止させ、再度カソードが充分加熱された状態で発振を再開することで、マグネトロンがモーディング発振を継続することなく確実に安定発振を行うことでマグネトロンの寿命劣化を防止することができる。
【００１３】
請求項３に記載の発明は、特に、請求項２に記載のモーディング発振検知部が、流れる電流値に応じて発光度合いが変化する発光素子と電気的に絶縁された受光素子からなるフォトカプラーを設け、マグネトロン流れる電流波形に応じた出力波形を受光素子より制御回路に出力する構成とし、インバータ回路の断続と異なる周期での断続の発生を検出すると、モーディングの発生と判断し、前記インバータ回路の高周波発振を電源の１周期のみ一旦停止させるようにしたものである。
【００１４】
そして一旦発生したモーディング発振を即座に一旦停止させ、カソードが電子の放出に充分な状態にして次の一周期の発振に備えるようにすることで、モーディング発振を継続することなく安定発振を行うと同時に、発振停止の時間を極力短くすることで、発振停止時間の発生による加熱効率低下を防ぎながら、マグネトロンの寿命劣化を防止することができる。
【００１５】
【実施例】
以下本発明の実施例について、図面を参照しながら説明する。尚、従来例と同一符号のものは同一構造を有し、説明を省略する。
【００１６】
（実施例１）
図１は、本発明の第１の実施例における高周波加熱装置の回路を示すものである。
【００１７】
図１において１２は三相交流電源、２はインバータ回路、４、５は半導体スイッチング素子、７は第１の共振コンデンサ、８は第２の共振コンデンサ、９は昇圧トランスで、１０は高圧整流回路、１１はマグネトロンである。但し、昇圧トランス９は従来の物と異なり、マグネトロンのカソードの加熱にかかるフィラメントに電力を供給する巻線を持っていない。１３は前記マグネトロン１１のカソードを加熱するフィラメントに加熱電力を供給するフィラメントトランスで、１次コイルは制御用のリレー１４の接点を介して三相交流電源１２の１相に接続される。三相交流電源１２より受電した電力は装置の操作にかかる電源スイッチ１５を通し三相ブリッジ整流回路１６に接続される。更に、三相ブリッジ整流回路１６の出力はチョークコイル１７とコンデンサ１８よりなる平滑回路を通しスイッチング素子４、５に供給される回路構成をなしている。
【００１８】
スイッチング素子４、５を駆動、制御する制御回路１９は、マイクロコンピュータ２０を主体に構成するもので、あらかじめ記憶装置に保存されたプログラムデータに従い、それぞれの条件に応じスイッチング素子４、５及びリレー１４の駆動や制御を行う構成をなす。マイクロコンピュータ２０の入力ポートの１つは本体内への食品の搬入、搬出にかかる扉にかかり扉が開成状態でＯＦＦ、閉成状態でＯＮ状態となる扉開閉信号スイッチ２１に接続される。更に他の入力ポートの１つは、操作者が食品の加熱を開始を指示する作動スイッチ２２に接続される。
【００１９】
マイクロコンピュータ２０の出力ポートの１つは２０ＫＨｚ以上の発振回路２３を制御する。マイクロコンピュータ２０に制御された発振出力は波形整形回路２４で所定の発振波形に整形され、さらにスイッチング素子駆動回路２５で駆動に必要な電力に増幅され、スイッチング素子４、５に伝送されこれを駆動する構成をなしている。又、マイクロコンピュータ２０の出力ポートの一つは、リレー駆動回路２６に接続される。リレー駆動回路２６の出力はリレー１４の駆動コイルに接続され、マイクロコンピュータ２０の指示に従い、リレー１４の接点を開閉するようにしている。これらの動作にかかる制御回路１９はフィラメントトランス１３同様、三相交流電源１２の１相に接続された電源回路２７により動作に必要な電力を得ている。
【００２０】
上記の構成で、次のような動作が行われるようにしている。
【００２１】
本体の操作者装置の動作にかかる電源スイッチ１５をＯＮすると装置各部に通電され、制御回路１９にも電源回路２７により電力が供給され、マイクロコンピュータ２０が動作を開始する。
【００２２】
図２は動作を示すタイムチャートである。
【００２３】
操作者が食品を加熱庫内に設置のため、本体の扉を開成すると扉信号スイッチ２１がＯＦＦし、マイクロコンピュータ２０はリレー駆動回路２６に信号を送り、リレー１４の接点をＯＮさせる。フィラメントトランス１３に電圧が印加され、マグネトロン１１のフィラメントに通電が始まり、カソードが加熱開始する。同時にマイクロコンピュータ２０は、リレー駆動回路２６に信号を送った後の経過時間を計測開始する。この計時は予め設定されたマグネトロン１１のカソードが充分に加熱され、マグネトロンがモーディング発振となる事のない状態までに要する時間に達するまで行われる。
【００２４】
一方、三相ブリッジ整流回路１６出力電圧は、スイッチング素子４、５に印加されるが、スイッチング素子４、５の入力ゲートには信号が入力されないため、ＯＦＦ状態が保たれ、昇圧トランス９の二次には電圧が発生しない。
【００２５】
次に操作者が食品の設置を完了し扉を閉成し、加熱開始を指示する作動スイッチ２２を瞬時ＯＮさせる。マイクロコンピュータ２０はこの時、前述のリレー駆動回路２６に信号を送った後の経過時間を調べ、もし、予め設定されたマグネトロン１１のカソードが充分に加熱され、マグネトロン１１がモーディング発振となる事のない状態までに要する時間に達しておれば、発振回路２３にたいし、スイッチング素子４、５が２０ｋＨｚ以上の高周波で断続するように信号を送る。又、もし、予め設定されたマグネトロン１１のカソードが充分に加熱され、マグネトロン１１がモーディング発振となる事のない状態までに要する時間達していなければ、発振回路２３への発振開始の指示を保留し、予め設定した時間に達したときに発振開始の指示をおこなう。
【００２６】
スイッチング素子４、５が２０ｋＨｚ以上の高周波で断続を始めると、昇圧トランス９によって高周波高電圧に昇圧され、高圧整流回路１０を介して直流高電圧がマグネトロン１１に印加される。マグネトロン１１はこの直流高電圧によって駆動され、２．４５ＧＨｚの高周波を発生し、被加熱物を加熱する。予め操作者によって設定されている、食品の加熱時間が経過すると、マイクロコンピュータ２０は発振回路へ発振信号をＯＦＦし、食品の加熱が停止される。同時にフィラメントトランス１３への通電もマイクロコンピュータ２０がリレー駆動回路３１を通じリレー１４の接点を閉成し、フィラメントへの加熱電流が遮断され、カソードの温度を下げる。
【００２７】
その後、操作者が食品を取り出す為に本体の扉を開成すると、扉信号スイッチ２１がＯＦＦし、マイクロコンピュータ２０は再度リレー駆動回路３１を通じリレー１４をＯＮする。以後もし操作者が加熱を終えた食品を取り出し、新たに次の食品を設置して扉を閉成して、その後作動スイッチ２２を押した場合は前述が繰り返される。又、もし、予め設定されたマグネトロン１１のカソードが充分に加熱され、マグネトロン１１がモーディング発振となる事のない状態までに要する時間を経過した後、一定時間何も操作が行われない場合は、加熱作業の終了と判断し、マイクロコンピュータ２０はリレー１４の接点をＯＦＦし、フィラメントトランス１３への通電を停止する。
【００２８】
上記の構成によれば、三相ブリッジ整流出力で駆動されるマグネトロン１１は必ず、カソードが充分に加熱され、電子放出が充分な状態でのみアノードに電圧が印加され、カソードが加熱不足で発生するモーディング発振そのものを無くし、モーディング継続を無くすことができる。即ち、本実施例においては、三相交流電源１２より受電し整流する三相ブリッジ整流装置１６と三相ブリッジ整流装置１６の出力により駆動され前記マグネトロン１１のアノードに電力を付勢するインバータ回路２の半導体スイッチング素子４、５及び、前記フィラメントトランス１６のそれぞれを制御する制御回路１９とを設け、フィラメントトランス１６がマグネトロンのカソードを加熱するフィラメントに通電開始後、予め設定した時間以降にインバータ電源２の半導体スイッチング素子４、５に通電が開始される構成とする事で、マグネトロン１１は常にカソードからの電子放出が充分な状態になった後に高周波の発振が行なわれ、モーディング発振が起きないようにし、確実に安定発振を開始し、モーディング発振に移行しない用にすることができ、マグネトロンの寿命劣化を防止することができる。
【００２９】
（実施例２）
図３は、本発明の第２の実施例の高周波加熱装置の回路構成を示す図である。なお、実施例１と同一符号のものは同一構造を有し、説明は省略する。
【００３０】
実施例１の構成と異なるところは、高圧整流回路１０の出力の１部に出力電流を検出するカレントトランス２７および、カレントトランス２７の二次出力を整流、平滑する整流回路２８よりなるモーディング発振検知部２９を設けた点である。このモーディング発振検知部２９の出力は、一方を予め設定したアノード電流時に生じる信号電圧を発生する基準電圧発生器３０に接続する比較器３１のもう一方の入力に接続している。この構成で、比較器３１は基準電圧発生器３０とカレントトランス２７の信号電圧の差の出力をマイクロコンピュータ２０の入力ポートに入力するようにしている。
【００３１】
この回路構成により次の動作が行われる。
【００３２】
マグネトロン１１のアノードに流れる電流はスイッチング素子４、５の断続周期の脈流である。その為、その電流変化がカレントトランス２７の二次出力として現れる。この出力は更に整流回路２８及び、平滑回路２９を通して直流に変換され比較器３１の一方の入力端に入力される。
【００３３】
一方、制御回路１９の内部に設けられた基準電圧発生器３０は予めマグネトロン１１が正常に発振している場合の平滑回路２９の直流電圧出力に等しい電圧を発生しており、この電圧が比較器３１のもう一方の入力端に入力される。比較器３１の比較出力は両方の入力が等しく差が無いため、出力０としてマイクロコンピュータ２０に入力され、マイクロコンピュータ２０はマグネトロン１１のアノード電流が正常であると判断し、発振回路２３に対し、発振継続を指示する。
【００３４】
他方、マグネトロン１１がモーディング発振を起こしている場合、アノードに流れる電流は正常時のそれに比べ断続頻度が高くなり、整流出力を平滑すると出力電圧は正常時に比べ低くなる。この為、比較器３１の出力には入力電圧の差に応じた出力が現れる。マイクロコンピュータ２０はこの差の電圧をマグネトロン１１の異常発振と判断し、一旦発振回路２３に対し、発振停止を指示する。発振回路が停止するとスイッチング素子４、５は断続を中止し、マグネトロン１１は発振停止状態となる。一定時間本実施例においては０．５ｓｅｃの後、マイクロコンピュータ２０は発振回路２３にたいし再度発振開始を指示する。これによりスイッチング素子４、５は断続を再開、マグネトロン１１が発振を開始する。もし、マグネトロン１１が正常の発振を行えば、マイクロコンピュータ２０は発振回路２３に発振継続を指示、もしアノード電流が異常で、比較器３１出力が何らかの差の出力電圧をマイクロコンピュータ２０に与えた場合は、再びマイクロコンピュータ２０は０．５ｓｅｃの間発振停止を指示する。
【００３５】
上記の構成と動作によれば、三相ブリッジ整流出力により駆動されるマグネトロン１１は、アノード電流が正常な場合は発振を継続、もし異常が有れば一旦発振を停止し、その後発振が正常と認められるまでその状態を保ち、継続的なモーディング発振を防止することができる。即ち、マグネトロン１１のモーディング発振を検出するカーレントトランス２７と基準電圧の比較を行うことによるモーディング発振検知部２９を備え、モーディング発振検知部２９がモーディング発振を検出すると前記インバータ電源２のスイッチング素子４、５を一旦停止させ、その後再起動させる構成とすることで、仮に一旦、モーディングが起きても、そのモーディング発振を停止させ、再度カソードが充分加熱された状態で発振を再開することで、マグネトロン１１のモーディング発振が継続することを防ぎ、確実に安定発振を行うことでマグネトロン１１の寿命劣化を防止することができる。
【００３６】
尚、本実施例において、モーディング発振検知部として、カーレントトランス２７の出力を制御装置１９内に設けた比較器３１で比較してマイクロコンピュータ２０に入力しているが、他の実施例として、マイクロコンピュータ２０自身に比較機能を持たせ、あらかじめ設定した基準電圧とカレントトランスの整流出力の比較を行い、制御を行う場合もあり得る。
【００３７】
（実施例３）
図４は、本発明の第３の実施例の高周波加熱装置の回路構成を示す図である。実施例１、２の構成と異なるところは、モーディング発振検知部２９における高圧整流回路１０の出力電流を検出する構成として、カレントトランス２７の代わりに流れる電流値に応じて発光度合いが変化する発光素子と電気的に絶縁された受光素子からなるフォトカプラー３２が接続されている点である。更にフォトカプラー３２の出力は整流回路２８や平滑回路２９を通さず、直接比較器３１に導かれる構成としている。そして、比較器３１のもう一方の入力端には、基準電圧発生器３０の代わりに、移相回路３３を通したスイッチング素子４のスイッチング電圧が印加されるように構成している。移相回路は、スイッチング素子４，５の断続周期を半分にする、即ち、２倍の発振周波数のパルス波を発生し、更に、スイッチング素子４，５の断続位相とマグネトロン１１に流れる電流の位相のずれの分パルス波の位相をずらす構成を有している。比較器３１は、それぞれの入力端に入力波形のピーク値を一定にする波形整形回路を有し、波形整形後の電圧の差の絶対値を出力するもので、出力は実施例２同様マイクロコンピュータ２０の入力ポートに入力するように構成している。この回路構成により次の動作が行われる。
【００３８】
マグネトロン１１のアノードに流れる電流は、スイッチング素子４、５で断続する脈流である。高圧整流回路は倍電圧の両波整流回路となっているため、フォトカプラー３２の出力にはスイッチング素子４、５の断続周期の２倍の断続回数で断続する高周波パルスが現れる。
【００３９】
比較器３１のもう一方にはスイッチング素子４、５の断続出力を２倍し位相補正された、パルス波が印可される。マグネトロン１１が正常に発振している場合、波形整形された比較器３１の比較出力は、両方の入力の周期が等しく位相差も無いため、出力０としてマイクロコンピュータ２０に入力され、マイクロコンピュータ２０はマグネトロン１１のアノード電流が正常であると判断し、発振回路２３に対し、発振継続を指示する。
【００４０】
他方、マグネトロン１１がモーディング発振を起こしている場合、アノードに流れる電流は正常時のそれに比べ断続頻度が高くなり、比較器３１は周期のずれと、位相のずれを検知し、出力にずれた部分の波形が出力される。マイクロコンピュータ２０はこの電圧をマグネトロンの異常発振と判断し、一旦、発振回路２３に対し、発振停止を指示する。発振回路が停止するとスイッチング素子４、５は断続を中止し、マグネトロン１１は発振停止状態となる。一定時間本実施例においては２０ｍｍｓｅｃの後、マイクロコンピュータ２０は発振回路２３にたいし再度発振開始を指示する。これによりスイッチング素子４、５は断続を再開、マグネトロン１１が発振を開始する。もし、マグネトロンが正常の発振を行えば、マイクロコンピュータは発振回路に発振継続を指示、もしアノード電流が異常で、比較器３１出力が何らかの差の出力電圧をマイクロコンピュータ２０に与えた場合は、再びマイクロコンピュータ２０は２０ｍｍｓｅｃの間発振停止を指示する。
【００４１】
上記の構成と動作によれば、カソードの電子放出の不足が原因の動作開始直後の初期モーディング状態や、動作中にモーディングが発生した場合でも、発生したモーディング状態を即座に停止し、モーディング状態の継続をなくすことができる。即ち、一旦発生したモーディング発振を断続の１周期のみで一旦停止させ、カソードが電子の放出に充分な状態にして次の一周期の発振に備えるようにすることで、モーディング発振を継続することなく安定発振を行うと同時に、発振停止の時間を極力短くすることで、発振停止時間の発生による加熱効率低下を防ぎながら、マグネトロン１１の寿命劣化を防止することができる。
【００４２】
【発明の効果】
以上のように、請求項１、２、３記載の発明によれば、マグネトロンのフィラメントに流れる電流が定常状態に安定化した後に陽極電圧が印加され、且つ、仮に一旦モーディング状態になっても、即座にモーディングの発生停止さることで、状況により多様に変化する不安定なモーディング発生時間を極力抑えることで食品に印可する加熱エネルギーの変化を大幅に抑える、マグネトロンの寿命劣化を防止することができる。
【図面の簡単な説明】
【図１】本発明の実施例１における高周波加熱装置の回路を示す図
【図２】本発明の実施例１における高周波加熱装置の動作を示すタイムチャート
【図３】本発明の実施例２における高周波加熱装置の回路を示す図
【図４】本発明の実施例３における高周波加熱装置の回路を示す図
【図５】従来の高周波加熱装置の回路を示す図
【符号の説明】
２　インバータ回路
４、５　半導体スイッチング素子
１１　マグネトロン
１２　三相交流電源
１３　フィラメント電源
１６　三相整流装置
１９　制御回路
２９　モーディング発振検知部
３２　フォトカプラー
【図１】
2004095500.tif 000003
【図２】
2004095500.tif 000004
【図３】
2004095500.tif 000005
【図４】
2004095500.tif 000006
【図５】
2004095500.tif 000007